(57)【要約】      （修正有）【課題】端子の挟持構造の緩みを回避でき、大電力伝送の効率を高め、且つ端子に火花が生じやすい問題を回避可能な、スイッチ装置及びその端子を提供する。【解決手段】端子１０は、前端部１１、湾曲部１２、上内側挟持部材１４、下内側挟持部材１５、上外側挟持部材１３及び下外側挟持部材１６を含む。上外側挟持部材の後端と前端との間には、複数の凸部が設けられ、上外側挟持部材の複数の第１の湾曲部と複数の第２の湾曲部との間には、複数の凹部が設けられている。下外側挟持部材の後端と前端との間にも、複数の凸部１８が設けられ、下外側挟持部材の複数の第１の湾曲部１６ａと複数の第２の湾曲部１６ｂとの間には、複数の凹部１７が設けられている。端子は、軟質銅材自体の弾性に加え、上、下外側挟持部材の上、下内側挟持部材に対する挟持作用を利用すると共に、上、下外側挟持部材の外表面の凸部と凹部により弾性力が強化される。【選択図】図１Ａ
0003207484.tif 000002
【実用新案登録請求の範囲】
【請求項１】
スイッチ装置の端子であって、
前端部と、
前記前端部が後方に延在されて湾曲した部分である湾曲部と、
前記端子の前記前端部を上から挟持する後端を有しており、前端に複数の下湾曲部が設けられている上内側挟持部材と、
前記端子の前記前端部を下から挟持する後端を有しており、前端に複数の上湾曲部が設けられている下内側挟持部材と、
前記上内側挟持部材の前記後端を上から挟持する後端を有しており、前端に複数の第１の湾曲部及び複数の第２の湾曲部が設けられている上外側挟持部材と、
前記下内側挟持部材の前記後端を下から挟持する後端を有しており、前端に複数の第１の湾曲部及び複数の第２の湾曲部が設けられている下外側挟持部材と、
を含み、
前記上外側挟持部材の前記後端と前記前端との間には複数の凸部が設けられており、前記上外側挟持部材の前記複数の第１の湾曲部と前記複数の第２の湾曲部との間には複数の凹部が設けられている、
ことを特徴とするスイッチ装置の端子。
【請求項２】
前記下外側挟持部材の前記後端と前記前端との間には複数の凸部が設けられており、前記下外側挟持部材の前記複数の第１の湾曲部と前記複数の第２の湾曲部との間には複数の凹部が設けられていることを特徴とする請求項１に記載のスイッチ装置の端子。
【請求項３】
前記上外側挟持部材の前記複数の第１の湾曲部は、上向きの湾曲を構成しており、前記上外側挟持部材の前記複数の第２の湾曲部は、下向きの湾曲を構成しており、前記上外側挟持部材の前記凹部は、前記上向きの湾曲と前記下向きの湾曲との間の屈曲部位に設けられていることを特徴とする請求項１に記載のスイッチ装置の端子。
【請求項４】
前記下外側挟持部材の前記複数の第１の湾曲部は、下向きの湾曲を構成しており、前記下外側挟持部材の前記複数の第２の湾曲部は、上向きの湾曲を構成しており、前記下外側挟持部材の前記凹部は、前記下向きの湾曲と前記上向きの湾曲との間の屈曲部位に設けられていることを特徴とする請求項２に記載のスイッチ装置の端子。
【請求項５】
前記上内側挟持部材の前記下湾曲部及び前記下内側挟持部材の前記上湾曲部は、互いに上下に対応して、１つの挟持構造を形成することを特徴とする請求項１に記載のスイッチ装置の端子。
【請求項６】
前記前端部、前記湾曲部、前記上内側挟持部材及び前記下内側挟持部材は、軟質銅材から成ることを特徴とする請求項１に記載のスイッチ装置の端子。
【請求項７】
前端及び後端にそれぞれＲコネクタ、Ｓコネクタ、Ｔコネクタが設けられており、スイッチ部材が設けられているスイッチ装置素子と、
前記スイッチ装置素子と接続され、複数の端子溝が設けられている端子搭載装置と、
前記複数の端子溝にそれぞれ設けられる複数の端子と、
を含み、
各前記端子は、
前端部と、
前記前端部が後方に延在されて湾曲した部分である湾曲部と、
前記端子の前記前端部を上から挟持する後端を有しており、前端に複数の下湾曲部が設けられている上内側挟持部材と、
前記端子の前記前端部を下から挟持する後端を有しており、前端に複数の上湾曲部が設けられている下内側挟持部材と、
前記上内側挟持部材の前記後端を上から挟持する後端を有しており、前端に複数の第１の湾曲部及び複数の第２の湾曲部が設けられている上外側挟持部材と、
前記下内側挟持部材の前記後端を下から挟持する後端を有しており、前端に複数の第１の湾曲部及び複数の第２の湾曲部が設けられている下外側挟持部材と、
を含み、
前記上外側挟持部材の前記後端と前記前端との間には複数の凸部が設けられており、前記上外側挟持部材の前記複数の第１の湾曲部と前記複数の第２の湾曲部との間には複数の凹部が設けられ、
前記下外側挟持部材の前記後端と前記前端との間には複数の凸部が設けられており、前記下外側挟持部材の前記複数の第１の湾曲部と前記複数の第２の湾曲部との間には複数の凹部が設けられている、
ことを特徴とするスイッチ装置。
【請求項８】
前記上外側挟持部材の前記複数の第１の湾曲部は、上向きの湾曲を構成しており、前記上外側挟持部材の前記複数の第２の湾曲部は、下向きの湾曲を構成しており、
前記上外側挟持部材の前記凹部は、前記上向きの湾曲と前記下向きの湾曲との間の屈曲部位に設けられており、
前記下外側挟持部材の前記複数の第１の湾曲部は、下向きの湾曲を構成しており、前記下外側挟持部材の前記複数の第２の湾曲部は、上向きの湾曲を構成しており、
前記下外側挟持部材の前記凹部は、前記下向きの湾曲と前記上向きの湾曲との間の屈曲部位に設けられている、
ことを特徴とする請求項７に記載のスイッチ装置。
【請求項９】
前記上内側挟持部材の前記下湾曲部及び前記下内側挟持部材の前記上湾曲部は、互いに上下に対応して、１つの挟持構造を形成することを特徴とする請求項７に記載のスイッチ装置。
【請求項１０】
前記端子の前記前端部、前記湾曲部、前記上内側挟持部材及び前記下内側挟持部材は軟質銅材から成り、
前記スイッチ装置素子のＲコネクタ及びＴコネクタには軟質銅材が用いられる、
ことを特徴とする請求項７に記載のスイッチ装置。
【考案の詳細な説明】
【技術分野】
【０００１】
本考案は、スイッチ装置及びその端子に関し、特に、端子の挟持構造に弾性疲労が生じにくくするように、軟質銅材によって製作された端子の上下両側に挟持部材が設けられた、スイッチ装置の端子に関する。
【背景技術】
【０００２】
従来のスイッチ装置の端子において、その開口の挟持部は、スイッチボックスの導通装置に力強く挿入接続されることで、開口が押し広げられる。また、従来の端子の材質としては、硬い金属が用いられる。従って、従来の端子は、一旦スイッチボックスの導通装置に力強く挿入されると、開口が直ちに押し広げられると共に、端子そのものが弾性を有しないために、開口が押し広げられた後、その押し広げられた角度に固定され、元の小さな開口に復元されることができない。そのため、挟持部がスイッチボックスの導通装置を挟持した際に、緩みが生じ、この緩みによって更に接触不良が生じる問題があった。特に大電力システムに運用した場合、挟持部の緩みによって、必要な電力量を負荷側に伝送することができなくなり、大電力伝送の効率が低下し、接触不良が生じるだけでなく、電力電源伝送時に、端子に火花が生じる問題があった。
【考案の概要】
【考案が解決しようとする課題】
【０００３】
本考案は、端子の挟持構造に緩みが生じることを効果的に回避することができ、大電力伝送の効率を高め、且つ端子に火花が生じやすい問題を回避することが可能な、スイッチ装置及びその端子を提供することを課題とする。
【課題を解決するための手段】
【０００４】
本考案に係るスイッチ装置及びその端子において、スイッチ装置の端子は、前端部と、前端部が後方に延在されて湾曲した部分である湾曲部と、端子の前端部を上から挟持する後端を有しており、前端に複数の下湾曲部が設けられている上内側挟持部材と、端子の前端部を下から挟持する後端を有しており、前端に複数の上湾曲部が設けられている下内側挟持部材と、上内側挟持部材の後端を上から挟持する後端を有しており、前端に複数の第１の湾曲部及び複数の第２の湾曲部が設けられている上外側挟持部材と、下内側挟持部材の後端を下から挟持する後端を有しており、前端に複数の第１の湾曲部及び複数の第２の湾曲部が設けられている下外側挟持部材と、を含み、上外側挟持部材の後端と前端との間には、複数の凸部が設けられており、上外側挟持部材の複数の第１の湾曲部と複数の第２の湾曲部との間には、複数の凹部が設けられている。下外側挟持部材の後端と前端との間には、複数の凸部が設けられており、下外側挟持部材の複数の第１の湾曲部と複数の第２の湾曲部との間には、複数の凹部が設けられている。
【０００５】
本考案に係るスイッチ装置は、前端及び後端にそれぞれＲコネクタ、Ｓコネクタ、Ｔコネクタが設けられており、スイッチ部材が設けられているスイッチ装置素子と、スイッチ装置素子と接続され、複数の端子溝が設けられている端子搭載装置と、端子溝にそれぞれ設けられる複数の端子と、を含み、各端子は、前端部と、前端部が後方に延在されて湾曲した部分である湾曲部と、端子の前端部を上から挟持する後端を有しており、前端に複数の下湾曲部が設けられている上内側挟持部材と、端子の前端部を下から挟持する後端を有しており、前端に複数の上湾曲部が設けられている下内側挟持部材と、上内側挟持部材の後端を上から挟持する後端を有しており、前端に複数の第１の湾曲部及び複数の第２の湾曲部が設けられている上外側挟持部材と、下内側挟持部材の後端を下から挟持する後端を有しており、前端に複数の第１の湾曲部及び複数の第２の湾曲部が設けられている下外側挟持部材と、を含み、上外側挟持部材の後端と前端との間には複数の凸部が設けられており、上外側挟持部材の前記複数の第１の湾曲部と複数の第２の湾曲部との間には複数の凹部が設けられており、下外側挟持部材の後端と前端との間には複数の凸部が設けられており、下外側挟持部材の複数の第１の湾曲部と複数の第２の湾曲部との間には複数の凹部が設けられている。
【０００６】
本考案に係る端子は、好ましい弾性を有し、軟質銅材自体の好ましい弾性に加え、上、下外側挟持部材の上、下内側挟持部材に対する挟持作用を利用すると共に、上、下外側挟持部材の外表面に凸部及び凹部がそれぞれ設けられる構成としたことによって、上、下外側挟持部材の弾力がより好ましいものとなり、ひいては上、下内側挟持部材が弾性疲労が生じにくくなり、且つ変形しにくくなる。
【考案の効果】
【０００７】
本考案に係るスイッチ装置及びその端子によれば、端子が導通装置に挿入接続されることで端子の開口の挟持部が押し広げられて復元できなくなることを効果的に回避することができ、端子の挟持構造に緩みが生じることを回避することができ、大電力伝送の効率を高めることができ、また、端子に火花が生じやすい問題を回避することができる。
【図面の簡単な説明】
【０００８】
【図１Ａ】本考案の実施例に係る端子の構造を示した図である。
【図１Ｂ】本考案の実施例に係る端子の構造を示した図である。
【図１Ｃ】本考案の実施例に係る端子の構造を示した図である。
【図２】本考案の実施例に係る端子搭載装置及びスイッチ装置素子を示した斜視図である。
【図３】本考案に係る実施例の図２に対応する上面図である。
【図４】本考案に係る実施例の図２に対応する別の視点から見た斜視図である。
【考案を実施するための形態】
【０００９】
本考案に係るスイッチ装置及びその端子は、端子が導通装置に挿入接続されることで端子の開口の挟持部が押し広げられて復元できなくなることを効果的に回避することができ、端子の挟持構造に緩みが生じることを回避することができ、大電力伝送の効率を高めることができ、また、端子に火花が生じやすい問題を回避することができる。
【００１０】
図１Ａ、図１Ｂ及び図１Ｃは、スイッチ装置の端子の構造を示した図である。端子１０は、前端部１１、湾曲部１２、上外側挟持部材１３、上内側挟持部材１４、下内側挟持部材１５、下外側挟持部材１６、複数の凹部１７、複数の凸部１８及び複数の固定接続部材２０を含む。前端部１１は、端子１０本体の前端である。湾曲部１２は、端子１０の前端部１１が後方に延在されて湾曲した部分である。図面においては下向きに湾曲しているが、これは単に１つの実施例に過ぎない。本考案は端子１０の湾曲部１２が下向きに湾曲されるのに限定されない。実際に応用される場合の端子１０の湾曲部１２は、端子１０の後端に接続されるスイッチ装置に合わせて、上向きに湾曲してもよい。一般的に、端子１０の湾曲部１２は、端子１０の導通部でもあり、複数のロック部１９が設けられている。これにより、端子１０の後端に接続される装置に対して、ロック部１９を介して端子１０がロック固定されることができると共に、端子１０の前端に接続された電源が、端子１０の後端に接続されたスイッチ装置に導通されることができる。
【００１１】
上内側挟持部材１４及び下内側挟持部材１５は、それぞれ端子１０の前端部１１を上下から挟持する後端を有する。上内側挟持部材１４の前端には、複数の下湾曲部１４ａが設けられている。下内側挟持部材１５の前端には、複数の上湾曲部１５ａが設けられている。図１Ｃに示すように、上内側挟持部材１４の下湾曲部１４ａ及び下内側挟持部材１５の上湾曲部１５ａは、互いに上下に対応して、１つの挟持構造を形成する。即ち、下湾曲部１４ａと上湾曲部１５ａとが、上下に配置されることで、板状の対象物を挟持するのに用いられる、１つの狭い隙間が形成される。本考案における前端部１１、湾曲部１２並びに上内側挟持部材１４及び下内側挟持部材１５の材質としては、軟質銅材が含まれるが、これに限定されない。軟質銅材を採用することで、端子１０の弾性を高めることができ、軟質銅材自体の弾性によって、端子の挟持構造が、弾性疲労しにくくなり、又は押し広げられにくくなる。また、軟質銅材は、切断しやすいため、端子１０は、どのメーカブランドのスイッチ装置にも適用されることができる。
【００１２】
上外側挟持部材１３及び下外側挟持部材１６は、それぞれ上下から上内側挟持部材１４及び下内側挟持部材１５の後端を挟持する後端を有する。実際に実施する場合、図１Ａ、図１Ｂに示す複数の固定接続部材２０を用いて、上外側挟持部材１３、上内側挟持部材１４、下内側挟持部材１５及び下外側挟持部材１６を貫通させることができる。これら貫通される部材は、リベット、丸皿リベット、金属固定接続部材又は溶接を含む方法により結合されるが、その結合方法はこれらに限定されない。
【００１３】
上外側挟持部材１３の前端には、複数の第１の湾曲部１３ａ及び複数の第２の湾曲部１３ｂが設けられている。下外側挟持部材１６の前端には、複数の第１の湾曲部１６ａ及び複数の第２の湾曲部１６ｂが設けられている。上外側挟持部材１３の後端と前端との間には、複数の凸部１８が設けられている。上外側挟持部材１３の複数の第１の湾曲部１３ａと複数の第２の湾曲部１３ｂとの間には、複数の凹部１７が設けられている。下外側挟持部材１６の後端と前端との間には、複数の凸部１８が設けられている。下外側挟持部材１６の複数の第１の湾曲部１６ａと複数の第２の湾曲部１６ｂとの間には、複数の凹部１７が設けられている。
【００１４】
図１Ｂ、図１Ｃに示すように、上外側挟持部材１３の複数の第１の湾曲部１３ａは、上向きの湾曲を構成しており、上外側挟持部材１３の複数の第２の湾曲部１３ｂは、下向きに湾曲している。図１Ｂに示すように、凹部１７は、上向きの湾曲と下向きの湾曲との間の屈曲部位に設けられている。図１Ａ、１Ｃに示すように、下外側挟持部材１６の複数の第１の湾曲部１６ａは、下向きの湾曲を構成しており、下外側挟持部材１６の複数の第２の湾曲部１６ｂは、上向きの湾曲を構成しており、凹部１７は、下向きの湾曲と上向きの湾曲との間の屈曲部位に設けられている。
【００１５】
上外側挟持部材１３、下外側挟持部材１６は、上内側挟持部材１４、下内側挟持部材１５を上下から挟持する。上内側挟持部材１４、下内側挟持部材１５によって形成された挟持構造が対象物を挟持するのに用いられた場合、上内側挟持部材１４、下内側挟持部材１５は外側に押し広げられる。この時、上外側挟持部材１３、下外側挟持部材１６は、それぞれの第１の湾曲部１３ａ、第１の湾曲部１６ａ及び第２の湾曲部１３ｂ、第２の湾曲部１６ｂの開口内部に向かって湾曲する構造を介して、下湾曲部１４ａ及び上湾曲部１５ａに上下から挟持する弾性力をもたせている。これにより、上内側挟持部材１４、下内側挟持部材１５は、弾性疲労が生じにくくなり、又は、押し広げられた状態のまま原状回復できなくなることが生じにくくなる。更に言えば、上外側挟持部材１３、下外側挟持部材１６に設けられた凸部１８及び凹部１７によって、第１の湾曲部１３ａ、第１の湾曲部１６ａ及び第２の湾曲部１３ｂ、第２の湾曲部１６ｂの内部に湾曲する構造が一層弾性力を有し、上内側挟持部材１４、下内側挟持部材１５は、更に、弾性疲労が生じにくくなり、又は、押し広げられた状態のまま原状回復できなくなることが生じにくくなる。
【００１６】
図２は、本考案の実施例に係る端子搭載装置及びスイッチ装置素子を示した斜視図であり、端子搭載装置３０及びスイッチ装置素子４０を含む。図３の上面図に示すように、スイッチ装置素子４０の前端及び後端には、それぞれＲコネクタ、Ｓコネクタ、Ｔコネクタが設けられている。スイッチ装置素子４０には、スイッチ部材４２が設けられている。スイッチ部材４２を切り換えることにより、スイッチ装置素子４０がオン又はオフの状態となる。Ｒコネクタ、Ｓコネクタ、Ｔコネクタは、三線式又は三相式の電源線コネクタである。スイッチ装置素子のＲコネクタ及びＴコネクタには軟質銅材が用いられる。即ち、スイッチ装置素子４０の前端と端子搭載装置３０との接続位置において、Ｒコネクタ及びＴコネクタには軟質銅材が用いられ、端子搭載装置３０における端子１０のコネクタは軟質銅材の材質から成る。一方、Ｓコネクタは、一般的な金属材質から成る。更にＲ、Ｔの軟質銅材コネクタによって、左右に０．５ｍｍ移動可能な移動空間が提供される。これにより、異なるメーカブランド又は異なる製品の寸法に公差がある場合でも、依然としてコネクタをロック結合することが可能となる。Ｓコネクタは、固定コネクタである。
【００１７】
図２及び図３に示す端子搭載装置３０は、スイッチ装置素子４０と接続される。端子搭載装置３０自体に複数の端子溝３２が設けられている。端子溝３２は、図１Ａ乃至図１Ｃの端子１０を収容するのに用いられる。各端子溝３２は、それぞれ上下に上板３４及び下板３５が延在されている。上板３４及び下板３５によって形成された空間によって、端子１０の下湾曲部１４ａ、上湾曲部１５ａ及び第２の湾曲部１３ｂ、第２の湾曲部１６ｂがすべて上板３４と下板３５との間に設けられる。図２に示すように、三相電源線のＲ、Ｓ、Ｔの３つのコネクタは、３つの端子が対応して接続され、対角線に配列される。図４は、図２を別の視点から見た後端の斜視図である。図４において、スイッチ装置素子４０の後端に示されたＲコネクタ、Ｓコネクタ、Ｔコネクタは、工作機械に電源を供給するのに用いるために、例えば工業用の機械器具といった後端に設けられた負荷に接続するのに用いられる。
【００１８】
このように、本考案に係る端子は、好ましい弾性を有し、軟質銅材自体の好ましい弾性に加え、上、下外側挟持部材の上、下内側挟持部材に対する挟持作用を利用すると共に、上、下外側挟持部材の外表面に凸部及び凹部がそれぞれ設けられる構成としたことによって、上、下外側挟持部材の弾力がより好ましいものとなり、ひいては上、下内側挟持部材が弾性疲労が生じにくくなり、且つ変形しにくくなる。本考案に係るスイッチ装置及びその端子は、例えばＭＩＴＳＵ−ＴＥＣＨ又はその他の規格の電気スイッチボックスに適用されることができる。本考案の明細書に記載される内容は、好ましい実施例を例示的に説明したものに過ぎず、本考案の実用新案登録請求の範囲を限定するものではない。従って、本考案の主旨に基づいて為された変更、修正又は追加に係る技術内容は、すべて本考案の保護範囲に含まれる。
【符号の説明】
【００１９】
１０  端子
１１  前端部
１２  湾曲部
１３  上外側挟持部材
１３ａ  第１の湾曲部
１３ｂ  第２の湾曲部
１４  上内側挟持部材
１４ａ  下湾曲部
１５  下内側挟持部材
１５ａ  上湾曲部
１６  下外側挟持部材
１６ａ  第１の湾曲部
１６ｂ  第２の湾曲部
１７  凹部
１８  凸部
１９  ロック部
２０  固定接続部材
３０  端子搭載装置
３２  端子溝
３４  上板
３５  下板
４０  スイッチ装置素子
４２  スイッチ部材
Ｒ、Ｓ、Ｔ  コネクタ
【図１Ａ】
0003207484.tif 000003
【図１Ｂ】
0003207484.tif 000004
【図１Ｃ】
0003207484.tif 000005
【図２】
0003207484.tif 000006
【図３】
0003207484.tif 000007
【図４】
0003207484.tif 000008